(57)【特許請求の範囲】
【請求項１】
カメラボディとこのカメラボディに着脱する交換レンズの組合わせ情報を提供する交換レンズの情報提供方法であって、前記カメラボディのレンズマウントの位置に所定の識別マーカーを表示し、かつ所定の記憶処理手段に一又は二以上の異なる交換レンズの外観に係わる三次元イメージデータを登録するとともに、カメラ付きコンピューティング処理装置に拡張現実感処理プログラムをインストールし、このカメラ付きコンピューティング処理装置のカメラ機能部により前記識別マーカーを含む前記カメラボディを撮影し、前記拡張現実感処理プログラムに基づき、前記カメラ機能部から得る撮影画像データと選択された前記三次元イメージデータに対して拡張現実感処理を行い、前記カメラボディに装着した交換レンズの合成画像を、前記カメラ付きコンピューティング処理装置のディスプレイに表示することを特徴とする交換レンズの情報提供方法。
【請求項２】
前記記憶処理手段は、カメラ付きコンピューティング処理装置又はインターネット環境に接続されたウェブサーバに備えることを特徴とする請求項１記載の交換レンズの情報提供方法。
【請求項３】
前記識別マーカーは、インターネット環境に接続されたウェブサーバから識別マーカーデータとしてダウンロードするとともに、シート媒体にプリントアウトし、このプリントアウトしたシート媒体をカッティングして得ることを特徴とする請求項１記載の交換レンズの情報提供方法。
【請求項４】
前記識別マーカーは、前記カメラボディのレンズマウントに着脱するマウントキャップの外面に貼付けることを特徴とする請求項３記載の交換レンズの情報提供方法。
【請求項５】
前記カメラ付きコンピューティング処理装置には、少なくともスマートフォンを含むことを特徴とする請求項１記載の交換レンズの情報提供方法。
【請求項６】
前記拡張現実感処理プログラムは、インターネット環境に接続されたウェブサーバからアプリケーションソフトウェアとしてダウンロードすることを特徴とする請求項１記載の交換レンズの情報提供方法。
【請求項７】
カメラボディに着脱する交換レンズの販売方法であって、前記カメラボディのレンズマウントの位置に所定の識別マーカーを表示し、かつ所定の記憶処理手段に一又は二以上の異なる交換レンズの外観に係わる三次元イメージデータを登録するとともに、カメラ付きコンピューティング処理装置に拡張現実感処理プログラムをインストールし、このカメラ付きコンピューティング処理装置のカメラ機能部により前記識別マーカーを含む前記カメラボディを撮影し、前記拡張現実感処理プログラムに基づき、前記カメラ機能部から得る撮影画像データと選択された前記三次元イメージデータに対して拡張現実感処理を行い、前記カメラボディに装着した前記交換レンズの合成画像を、前記カメラ付きコンピューティング処理装置のディスプレイに表示し、この後、カメラ付きコンピューティング処理装置をインターネット環境のウェブショップに接続し、前記交換レンズの購入手続画面を表示することを特徴とする交換レンズの販売方法。
【請求項８】
前記購入手続画面には、購入できる複数のウェブショップを選択可能に表示することを特徴とする請求項７記載の交換レンズの販売方法。
【請求項９】
前記カメラ付きコンピューティング処理装置には、少なくともスマートフォンを含むことを特徴とする請求項７記載の交換レンズの販売方法。
【発明の詳細な説明】
【技術分野】
【０００１】
本発明は、カメラボディとこのカメラボディに着脱する交換レンズの組合わせ情報を提供する交換レンズの情報提供方法及びその販売方法に関する。
【背景技術】
【０００２】
一般に、カメラボディに着脱する交換レンズとしては、特許文献１〜３に記載されるように、様々なレンズメーカーから様々な種類が提供されており、通常、カメラボディを所有するユーザーは、このカメラボディに着脱する複数の異なる交換レンズを所有するとともに、撮影する際に、その目的に応じた交換レンズを選択し、カメラボディの前面に備えるレンズマウントに装着して使用する。
【０００３】
また、この種の交換レンズは、そのスペック等により安価なものから高価なものまで各種存在するとともに、使用するユーザーにとっては趣味的要素も大きいことから、カメラボディのカメラメーカーとは異なるレンズメーカーの交換レンズを所有する場合も少なくない。このため、交換レンズの購入時には、主たる選択要素である交換レンズのスペックに加え、交換レンズの外観デザイン、特に、カメラボディに装着した際におけるカメラボディと組合わせた全体の外観デザインも購入する際の大きな選択要素になっている。
【先行技術文献】
【特許文献】
【０００４】
【特許文献１】特開２０００−２７５４９６号公報
【特許文献２】特開２００４−０７０２３７号公報
【特許文献３】特開２０１５−００７６８８号公報
【発明の概要】
【発明が解決しようとする課題】
【０００５】
ところで、上述したように、交換レンズを購入する一般ユーザーは、カメラボディを所有している場合が多く、新たに購入する交換レンズは、所有するカメラボディと組合わせて使用する場合も少なくない。この場合、交換レンズ単体の外観やスペックの情報についてはカタログ等から得ることができるが、所有するカメラボディに交換レンズを装着した全体の外観デザインに対する確認は事実上困難となる。特に、愛着のあるカメラボディは、長年にわたり使用し続けているユーザーも少なくないため、例えば、販売店等での現物同士の確認も困難であるとともに、加えて、個人の所有するカメラボディは販売店等に持ち込みにくい。
【０００６】
結局、ユーザー自身が所有するカメラボディに対して追加の交換レンズを購入しようとする場合、カメラボディに当該交換レンズを装着した全体の外観デザインを確認する術がなく、イメージの想像に頼らざるを得ないのが実情である。この場合、ある程度のイメージは想像できるとしても、例えば、長期使用のカメラボディと新品の交換レンズを組合わせた際のマッチング性や組合わさる色同士の微妙な相性等は想像のみでは確認しにくい。したがって、ユーザーの所有するカメラボディとこのカメラボディに使用する交換レンズを新たに購入しようとする際に、カメラボディに交換レンズを装着した状態の全体の外観デザインに係わる情報を手軽に確認することができれば、交換レンズの購入を希望している一般ユーザーにとってきわめて便利なツールになる。
【０００７】
本発明は、このような背景技術に存在する課題に応えることができる交換レンズの情報提供方法及び販売方法の提供を目的とするものである。
【課題を解決するための手段】
【０００８】
本発明に係る交換レンズの情報提供方法は、上述した課題に応えるため、カメラボディ２とこのカメラボディ２に着脱する交換レンズ３の組合わせ情報を提供するに際し、カメラボディ２のレンズマウント２ｍの位置に所定の識別マーカーＭを表示し、かつ所定の記憶処理手段Ａに一又は二以上の異なる交換レンズ３…の外観に係わる三次元イメージデータＤｉ…を登録するとともに、カメラ付きコンピューティング処理装置４に拡張現実感処理プログラム５をインストールし、このカメラ付きコンピューティング処理装置４のカメラ機能部４ｃにより識別マーカーＭを含むカメラボディ２を撮影し、拡張現実感処理プログラム５に基づき、カメラ機能部４ｃから得る撮影画像データＤｓと選択された三次元イメージデータＤｉに対して拡張現実感処理を行い、カメラボディ２に装着した交換レンズ３の合成画像６を、カメラ付きコンピューティング処理装置４のディスプレイ４ｄに表示するようにしたことを特徴とする。
【０００９】
この場合、発明の好適な態様により、記憶処理手段Ａは、カメラ付きコンピューティング処理装置４又はインターネット環境Ｎに接続されたウェブサーバＸに設けることができる。また、識別マーカーＭは、インターネット環境Ｎに接続されたウェブサーバＸから識別マーカーデータＤｍとしてダウンロードするとともに、シート媒体Ｐにプリントアウトし、このプリントアウトしたシート媒体Ｐをカッティングして得ることができる。さらに、識別マーカーＭは、カメラボディ２のレンズマウント２ｍに着脱するマウントキャップ７の外面７ｓに貼付することができる。なお、カメラ付きコンピューティング処理装置４には、少なくともスマートフォン４ｓを含ませることができる。また、拡張現実感処理プログラム５は、インターネット環境Ｎに接続されたウェブサーバＸからアプリケーションソフトウェアとしてダウンロードすることができる。
【００１０】
一方、本発明に係る交換レンズの販売方法は、上述した課題に応えるため、カメラボディ２に着脱する交換レンズ３を販売するに際し、カメラボディ２のレンズマウント２ｍの位置に所定の識別マーカーＭを表示し、かつ所定の記憶処理手段Ａに一又は二以上の異なる交換レンズ３…の外観に係わる三次元イメージデータＤｉ…を登録するとともに、カメラ付きコンピューティング処理装置４に拡張現実感処理プログラム５をインストールし、このカメラ付きコンピューティング処理装置４のカメラ機能部４ｃにより識別マーカーＭを含むカメラボディ２を撮影し、拡張現実感処理プログラム５に基づき、カメラ機能部４ｃから得る撮影画像データＤｒと選択された三次元イメージデータＤｉに対して拡張現実感処理を行い、カメラボディ２に装着した交換レンズ３の合成画像６を、カメラ付きコンピューティング処理装置４のディスプレイ４ｄに表示し、交換レンズ３の購入手続画面を表示するようにしたことを特徴とする。
【００１１】
この場合、発明の好適な態様により、購入手続画面では、購入できる複数のウェブショップＰ３…を選択可能に表示することができる。なお、カメラ付きコンピューティング処理装置４には、少なくともスマートフォン４ｓを含ませることができる。
【発明の効果】
【００１２】
このような手法による本発明に係る交換レンズの情報提供方法及び販売方法によれば、次のような顕著な効果を奏する。
【００１３】
（１）  拡張現実感（ＡＲ）処理技術を利用することにより、例えば、ユーザーの所有するカメラボディ２に、購入を希望している交換レンズ３を装着した状態、即ち、全体の外観デザインとなる合成画像６を、組合わせ情報として、目視により手軽に、かつリアルに確認できる。したがって、長期使用のカメラボディ２と新品の交換レンズ３を組合わせた際のマッチング性や組合わさる色同士の微妙な相性等も、容易かつ的確に確認できるなど、ユーザーＰ２が交換レンズ３を購入する際における重要な判断要素となる合成画像６を提供できる。これにより、ユーザーＰ２にとっては的確な購入判断が担保されるなど、ユーザーＰ２の利便性向上に大きく寄与できる。
【００１４】
（２）  好適な態様により、記憶処理手段Ａを、カメラ付きコンピューティング処理装置４又はインターネット環境Ｎに接続されたウェブサーバＸに設けるようにすれば、例えば、データ量が少ない場合には、カメラ付きコンピューティング処理装置４に設けた内部メモリを使用できるとともに、他方、より高精彩な画像等を確保したり交換レンズ３…の種類を多くするなどにより、三次元イメージデータＤｉのデータ量を大きくした場合などでは、ウェブサーバＸにそのまま登録し、必要な交換レンズ３に係わる三次元イメージデータＤｉを個別にダウンロードして使用できる。したがって、交換レンズ３…に係わる三次元イメージデータＤｉ…のデータベースを構築する際における柔軟性及び拡張性を高めることができる。
【００１５】
（３）  好適な態様により、識別マーカーＭを、インターネット環境Ｎに接続されたウェブサーバＸから識別マーカーデータＤｍとしてダウンロードするとともに、シート媒体Ｐにプリントアウトし、このプリントアウトしたシート媒体Ｐをカッティングして得るようにすれば、識別マーカーＭを準備するに際し、ユーザーＰ２自身により容易に入手することができる。
【００１６】
（４）  好適な態様により、識別マーカーＭを、カメラボディ２のレンズマウント２ｍに着脱するマウントキャップ７の外面７ｓに貼付けるようにすれば、ユーザーＰ２自身により容易に準備することができる。
【００１７】
（５）  好適な態様により、カメラ付きコンピューティング処理装置４に、少なくともスマートフォン４ｓを含ませれば、一般に広く普及しているカメラ付きコンピューティング処理装置４の一つとして手軽に利用できる。
【００１８】
（６）  好適な態様により、拡張現実感処理プログラム５を、インターネット環境Ｎに接続されたウェブサーバＸから、アプリケーションソフトウェアとしてダウンロードするようにすれば、拡張現実感処理プログラム５を準備するに際し、ユーザーＰ２自身により容易に入手することができる。
【００１９】
（７）  好適な態様により、購入手続画面において、購入できる複数のウェブショップＰ３…を選択可能に表示すれば、ユーザーＰ２自身のお気に入りウェブショップＰ３…を利用できるなど、ユーザーＰ２にとっての利便性の高いビジネスモデルを構築することができる。
【図面の簡単な説明】
【００２０】
【図１】本発明の好適実施形態に係る交換レンズの情報提供方法及び販売方法を順を追って説明するためのフローチャート、
【図２】同交換レンズの情報提供方法及び販売方法を実施する際の事前準備を説明するためのフローチャート、
【図３】同交換レンズの情報提供方法及び販売方法の実施に用いる全体のシステム系統図、
【図４】同交換レンズの情報提供方法及び販売方法の実施に用いる拡張現実感処理を実行する処理系統図、
【図５】同交換レンズの情報提供方法及び販売方法の実施に用いる識別マーカーのパターン図、
【図６】同交換レンズの情報提供方法及び販売方法を実施する際における識別マーカーの表示方法説明図、
【図７】同交換レンズの情報提供方法及び販売方法を実施する際における撮影方法説明図、
【図８】同交換レンズの情報提供方法及び販売方法を実施する際におけるディスプレイに表示される合成画像の表示画面図、
【図９】同交換レンズの情報提供方法及び販売方法を実施する際におけるディスプレイの操作画面図、
【図１０】同交換レンズの情報提供方法及び販売方法を実施する際におけるディスプレイの交換レンズ選択画面図、
【発明を実施するための形態】
【００２１】
次に、本発明に係る好適実施形態を挙げ、図面に基づき詳細に説明する。
【００２２】
まず、本実施形態に係る交換レンズの情報提供方法及び販売方法の実施に用いる全体のシステム系統について、図３，図４及び図８を参照して説明する。
【００２３】
図３において、Ｎはインターネット環境を示しており、このインターネット環境Ｎに、本実施形態に係る交換レンズの情報提供方法及び販売方法の実施に関連するレンズメーカーＰ１，ユーザーＰ２…，ウェブショップＰ３…の各端末が接続された状態を示している。この場合、レンズメーカーＰ１は、交換レンズ３…（図８参照）を製造するメーカーであり、本実施形態に係る交換レンズの情報提供方法及び販売方法に係わるサービスを提供する主体となる。したがって、レンズメーカーＰ１は、コンピュータシステムを用いたウェブサーバＸを所有し、情報提供及び販売に係わるウェブサイトを公開する。このため、ウェブサーバＸ（ウェブサイト）に、少なくとも、拡張現実感処理プログラム５及び識別マーカー（ＡＲタグ）Ｍをアップロードし、拡張現実感処理プログラム５に係わるアプリケーションソフトウェア及び識別マーカーＭに係わる識別マーカーデータＤｍを、ユーザーＰ２…がダウンロード可能となるように構成する。また、ウェブサーバＸには、一又は二以上の交換レンズ３…に係わる三次元イメージデータＤｉ…をデータベースとして登録する。例示の場合、三次元イメージデータＤｉ…は拡張現実感処理プログラム５と一緒にユーザーＰ２…がダウンロード可能となる。
【００２４】
一方、ユーザーＰ２…は、交換レンズ３…に係わる情報提供を受けるとともに、交換レンズ３…を購入することができる。ユーザーＰ２…は、様々な所有形態を想定できるが、代表的な所有形態例として、パーソナルコンピュータ３１及びスマートフォン４ｓを所有している場合を例示する。パーソナルコンピュータ３１は、ウェブサーバＸのウェブサイトにアクセスし、識別マーカーＭに係わる識別マーカーデータＤｍをダウンロードできるとともに、プリンタ３２により識別マーカーＭをプリントアウトすることができる。なお、パーソナルコンピュータ３１は汎用性を有するデスクトップパソコン或いはノートパソコン（モバイルコンピュータ）等を想定できる。
【００２５】
この場合、スマートフォン４ｓは、カメラ付きコンピューティング処理装置４を構成し、裏面にはカメラ機能部４ｃが付属する。したがって、ウェブサーバＸのウェブサイトにアクセスし、上述した拡張現実感処理プログラム５に係るアプリケーションソフトウェア及び三次元イメージデータＤｉ…に係るデータベースの一部又は全部をダウンロードし、さらに、インストールすることができる。カメラ付きコンピューティング処理装置４は、その他、スマートフォン４ｓより大型となるタブレット等であってもよいし、或いは家庭で使用するデスクトップパソコンに別途のオプションカメラを接続して使用するなどの形態であってもよい。この場合、このデスクトップパソコンには上述したパーソナルコンピュータ３１を兼用させることも可能である。このように、カメラ付きコンピューティング処理装置４には様々な機器類を適用できる。しかし、スマートフォン４ｓを適用すれば、一般に広く普及しているカメラ付きコンピューティング処理装置４の一つとして手軽に利用できる利点がある。
【００２６】
図４は、スマートフォン４ｓにおける拡張現実感処理プログラム５の処理機能を示したものである。この場合、カメラ機能部４ｃにより撮影された撮影画像データＤｃとユーザーＰ２により選択された交換レンズ３の三次元イメージデータＣｉに基づき、拡張現実感処理プログラム５による拡張現実感処理部３３により、撮影画像データＤｃに基づくカメラボディ２の三次元画像と三次元イメージデータＣｉに基づく交換レンズ３の三次元画像が合成処理され、スマートフォン４ｓのディスプレイ４ｄに合成画像６として表示される。即ち、現実に撮影されたカメラボディ２の画像に交換レンズ３の画像が合成される拡張現実感処理が行われる。拡張現実感処理では、識別マーカーＭが認識されることにより、カメラボディ２の画像の位置，大きさ，角度等が自動で得られ、これに基づき、交換レンズ３の画像の位置，大きさ，角度等が自動で設定される。そして、合成画像６は、ディスプレイ４ｄに、いわば準リアル状態に表示され、ユーザーＰ２は、カメラボディ２に交換レンズ３を組合わせた視覚情報として確認できる。
【００２７】
さらに、ウェブショップＰ３…は交換レンズ３…をインターネット環境Ｎ上で販売するショップであり、インターネット環境Ｎに接続されるコンピュータ端末３５…を備えている。したがって、このコンピュータ端末３５は、様々なシステムを想定できるが、少なくともウェブサーバとして機能するとともに、販売用のウェブサイトを公開しているものとする。
【００２８】
次に、本実施形態に係る交換レンズの情報提供方法及び販売方法を実施する際の具体的な処理手順について、図３〜図１０を参照しつつ図１及び図２のフローチャートに従って説明する。
【００２９】
まず、交換レンズの情報提供方法及び販売方法の実施に際しての事前準備を行う。この場合、事前準備には、レンズメーカーＰ１サイドにおける準備と、ユーザーＰ２サイドにおける準備が含まれる。レンズメーカーＰ１では、予め、ウェブサイトに拡張現実感処理プログラム５に係るアプリケーションソフトウェア及び識別マーカーＭ（識別マーカーデータＤｍ）をアップロードするとともに、一又は二以上の交換レンズ３…に係わる三次元イメージデータＤｉ…をデータベースとして登録する。これにより、一般のユーザーＰ２…が任意にダウンロードできる。なお、例示の実施形態では、アプリケーションソフトウェアの中に三次元イメージデータＤｉ…を含ませている。
【００３０】
次に、ユーザーＰ２サイドの事前準備について、図２に示すフローチャートを参照して説明する。ユーザーＰ２は、自分の所有するカメラボディ２を用意するとともに、スマートフォン４ｓ（カメラ付コンピューティング処理装置４）を用意する（ステップＳ２０）。図６は交換レンズを装着していないカメラボディ２の一例を示している。
【００３１】
カメラボディ２とスマートフォン４ｓを用意したなら、まず、スマートフォン４ｓからレンズメーカーＰ１のウェブサイトにアクセスし、アプリケーションソフトウェア（拡張現実感処理プログラム５）をダウンロードする（ステップＳ２１，Ｓ２２）。このように、拡張現実感処理プログラム５を、インターネット環境Ｎに接続されたウェブサーバＸから、アプリケーションソフトウェアとしてダウンロードできるようにすれば、拡張現実感処理プログラム５を準備するに際し、ユーザーＰ２自身により容易に入手できる利点がある。そして、ダウンロードした拡張現実感処理プログラム５はスマートフォン４ｓにインストールする（ステップＳ２３）。
【００３２】
また、例示の実施形態では、このアプリケーションソフトウェアに、一又は二以上の交換レンズ３…に係わる三次元イメージデータＤｉ…が含まれるため、この三次元イメージデータＤｉ…は、拡張現実感処理プログラム５と一緒にスマートフォン４ｓに内蔵する内部メモリ（記憶処理手段Ａ）に書込まれる。なお、三次元イメージデータＤｉ…は、例示のように、スマートフォン４ｓ側の記憶処理手段Ａに転送させてもよいし、レンズメーカーＰ１のウェブサーバＸに備える記憶処理手段Ａにそのまま登録しておき、利用時に、必要な三次元イメージデータＤｉのみをダウンロードするようにしてもよい。即ち、三次元イメージデータＤｉ…を登録する記憶処理手段Ａは、カメラ付きコンピューティング処理装置４を構成するスマートフォン４ｓ又はインターネット環境Ｎに接続されたウェブサーバＸのいずれに設けられてもよい。したがって、例えば、データ量が少ない場合には、スマートフォン４ｓに設けた内部メモリを使用できるとともに、他方、より高精彩な画像等を確保したり交換レンズ３…の種類を多くするなどにより、三次元イメージデータＤｉのデータ量を大きくした場合などでは、ウェブサーバＸにそのまま登録し、必要な交換レンズ３に係わる三次元イメージデータＤｉを個別にダウンロードして使用でき、交換レンズ３…に係わる三次元イメージデータＤｉ…のデータベースを構築する際における柔軟性及び拡張性を高めることができる。
【００３３】
さらに、ユーザーＰ２は、パーソナルコンピュータ３１からレンズメーカーＰ１のウェブサイトにアクセスし、識別マーカーＭに係る識別マーカーデータＤｍをダウンロードする（ステップＳ２４，Ｓ２５）。そして、ダウンロードした識別マーカーデータＤｍに基づく識別マーカーＭをプリンタ３２により印刷用紙（シート媒体）Ｐにプリントアウトする（ステップＳ２６）。また、プリントアウトした印刷用紙Ｐは、ハサミ等によりカッティングし、識別マーカーＭのみを切り取る（ステップＳ２７）。この識別マーカーＭのパターン例を図５に示す。なお、図５中、符号Ｋｃはカッティングラインを示しており、例示の識別マーカーＭは、白地に黒色表示されている。このように、識別マーカーデータＤｍをダウンロードするとともに、印刷用紙Ｐにプリントアウトし、このプリントアウトした印刷用紙Ｐをカッティングすることにより識別マーカーＭを得るようにすれば、識別マーカーＭを準備するに際し、ユーザーＰ２自身により容易に入手できる利点がある。
【００３４】
他方、用意したカメラボディ２は、前面にレンズマウント２ｍを備えるため、得られた識別マーカーＭは当該レンズマウント２ｍの位置に表示する。例示の場合、表示に際してはマウントキャップ７を利用する。即ち、交換レンズ３を装着しないカメラボディ２は、レンズマウント２ｍの開口を通して、内部にゴミや埃等が侵入するため、通常、マウントキャップ７を装着している。このため、上述した識別マーカーＭは、このマウントキャップ７の外面７ｓにおける中央位置に貼付けるようにした（ステップＳ２８）。そして、識別マーカーＭを貼付けたマウントキャップ７をレンズマウント２ｍに装着して使用する（ステップＳ２９）。この状態を図７に示す。この場合、識別マーカーＭは、上下方向及び左右方向の位置が決められているため、マウントキャップ７の装着位置を考慮して位置合わせを行う。このように、識別マーカーＭを表示するに際し、カメラボディ２のレンズマウント２ｍに着脱するマウントキャップ７の外面７ｓに貼付けるようにすれば、ユーザーＰ２自身により容易に準備できる利点がある。
【００３５】
以上の事前準備が終了することにより、交換レンズの情報提供方法及び販売方法の具体的な処理を実施することができる。以下、ユーザーＰ２サイドにおける具体的な操作手順について説明する。
【００３６】
まず、図７に示すように、ユーザーＰ２は、事前準備したカメラボディ２をテーブル５０等の撮影しやすい場所に配置する（ステップＳ１）。一方、スマートフォン４ｓの電源をＯＮにし、インストールしたアプリケーションソフトウェア（拡張現実感処理プログラム５）を起動させる（ステップＳ２）。これにより、図９に示す初期画面Ｖ１が表示される。なお、初期画面Ｖ１において、５１は保存キー、５２はスワイプキー、５３はショップ表示キー、５４は位置調整キーをそれぞれ示す。また、スワイプキー５２を操作することにより、図１０に示すレンズ選択画面Ｖ２を表示させることができる。
【００３７】
したがって、初期画面Ｖ１が表示されたなら、スワイプキー５２をスワイプ操作してレンズ選択画面Ｖ２を表示させる。そして、レンズ選択画面Ｖ２が表示されたなら、確認したい交換レンズ３を選択する（ステップＳ３）。この場合、レンズ選択画面Ｖ２の上下位置には、矢印キー６５，６６が表示されるとともに、交換レンズ３…の種類毎に品番や写真等の商品表示部６７が表示されるため、矢印キー６５，６６を操作することにより、商品表示部６７の表示を順次変更することができる。この際、確認したい交換レンズ３に係わる商品表示部６７が表示されたならタッチ（ＯＮ）して選択すればよい。
【００３８】
レンズ選択画面Ｖ２による選択操作が終了したなら、レンズ選択画面Ｖ２に表示されるスワイプキー６８をスワイプ操作し、初期画面Ｖ１を表示させる。初期画面Ｖ１は撮影モードになっているため、図７に示すように、スマートフォン４ｓのカメラ機能部４ｃにより、テーブル５０等に配置したカメラボディ２を撮影する（ステップＳ４）。この場合の撮影は、いわゆるシャッタを押して撮影する趣旨ではなく、ディスプレイ４ｄに表示させるのみである。
【００３９】
スマートフォン４ｓのカメラ機能部４ｃにより、カメラボディ２を撮影することにより、識別マーカーＭが認識され、スマートフォン４ｓにおいて拡張現実感処理が行われる（ステップＳ５）。
【００４０】
この場合、図４に示すように、拡張現実感処理プログラム５が実行されることにより、カメラ機能部４ｃにより撮影された撮影画像データＤｃにおける識別マーカーＭが認識（識別）され、この識別マーカーＭの画像の上に、選択した交換レンズ３の三次元イメージデータＣｉがレンダリングされる。この結果、スマートフォン４ｓのディスプレイ４ｄには、カメラボディ２に装着した交換レンズ３、即ち、カメラボディ２と交換レンズ３が組合わさった合成画像６が表示される（ステップＳ６）。図８に、この合成画像６が表示された合成表示画面Ｖ３を示す。この際、識別マーカーＭが認識されることにより、カメラボディ２の位置，大きさ，角度等が自動で読取られるため、交換レンズ３の画像の位置，大きさ，角度等が、カメラボディ２にマッチングするようにサイジング処理が自動で行われる。なお、交換レンズ３の表示位置に位置ズレが生じていれば、位置調整キー５４により微調整することができる。また、カメラボディ２を撮影している状態で撮影角度を変化させれば、それに応じてカメラボディ２と交換レンズ３の角度も一緒に変化する。
【００４１】
一方、この合成表示画面Ｖ３をスマートフォン４ｓに保存する場合には、保存キー５１をタッチ（ＯＮ）する（ステップＳ７，Ｓ８）。これにより、スマートフォン４ｓの内部メモリに保存される（ステップＳ９）。保存することにより、ユーザーＰ２は、必要に応じて、いつでも合成画像６を確認することができる。
【００４２】
このように、拡張現実感（ＡＲ）処理技術を利用すれば、ユーザーＰ２は、ディスプレイ４ｄの合成表示画面Ｖ３に表示された合成画像６から、実写に基づくカメラボディ２の画像とデータに基づく交換レンズ３の画像が組合わされた三次元画像を確認することができる。即ち、カメラボディ２に装着した状態の交換レンズ３の組合わせ情報として確認できる。これにより、例えば、ユーザーＰ２の所有するカメラボディ２に、購入を希望している交換レンズ３を装着した状態、即ち、全体の外観デザインとなる合成画像６を、組合わせ情報として、目視により手軽に、かつリアルに確認できる。したがって、長期使用のカメラボディ２と新品の交換レンズ３を組合わせた際のマッチング性や組合わさる色同士の微妙な相性等も、容易かつ的確に確認できるなど、ユーザーＰ２が交換レンズ３を購入する際における重要な判断要素となる合成画像６を提供できる。これにより、ユーザーＰ２にとっては的確な購入判断が担保されるなど、ユーザーＰ２の利便性向上に大きく寄与できる。
【００４３】
一方、他の交換レンズ３…に対しても同様に表示させることができる（ステップＳ１０）。この場合、初期画面Ｖ１に表示されるスワイプキー５２を操作し、レンズ選択画面Ｖ２を表示させることにより、前述した交換レンズ３の選択と同様に、他の交換レンズ３の選択を行えばよく、他の交換レンズ３に対してもカメラボディ２に装着した状態となる同様の合成画像６を表示させることができる（ステップＳ３…Ｓ９）。
【００４４】
そして、希望する全ての交換レンズ３の確認が終了し、確認した交換レンズ３…の中に購入したい交換レンズ３が存在すれば、ショップ表示キー５３をタッチ（ＯＮ）する（ステップＳ１１，Ｓ１２）。これにより、図示を省力したが、ショップ名の一覧が表示された購入手続画面が表示される（ステップＳ１３）。また、この購入手続画面から、希望するショップをタッチ（ＯＮ）して選択する（ステップＳ１４）。これにより、選択されたウェブショップＰ３のウェブサイトにジャンプし、ディスプレイ４ｄに表示される。このように、購入手続画面において、購入できる複数のウェブショップＰ３…を選択可能に表示すれば、ユーザーＰ２自身のお気に入りウェブショップＰ３…を利用できるなど、ユーザーＰ２にとっての利便性の高いビジネスモデルを構築することができる。この後、購入する交換レンズ３を指定（選択）し、必要な購入処理手続を行うことができる（ステップＳ１５，Ｓ１６）。
【００４５】
以上、好適実施形態について詳細に説明したが、本発明は、このような実施形態に限定されるものではなく、細部の構成，形状，素材，数量，手法等において、本発明の要旨を逸脱しない範囲で、任意に変更，追加，削除することができる。
【００４６】
例えば、識別マーカーＭは、インターネット環境Ｎに接続されたウェブサーバＸからダウンロードするとともに、印刷用紙Ｐにプリントアウトし、このプリントアウトした印刷用紙Ｐをカッティングして得るようにした場合を一例として示したが、予め、ワッペンのように製作し、販売店等で無料配布したり、或いはカタログやチラシに印刷したり、さらにはマウントキャップ７の外面に予め印刷等により直接表示してもよいなど、様々な方法により実現できる。また、拡張現実感処理プログラム５も、インターネット環境Ｎに接続されたウェブサーバＸからダウンロードする場合を示したが、ＣＤ−ＲＯＭ等の外部メディアに書込んだものを配布するなど、様々な方法により実現可能である。さらに、ウェブショップＰ３…から購入する場合を示したが、ディスプレイ４ｄに表示される合成画像６を情報確認として利用し、交換レンズ３の購入は実際の店舗に出向いて購入することももちろん可能である。
【産業上の利用可能性】
【００４７】
本発明に係る交換レンズの情報提供方法及びその販売方法は、ユーザーが所有するカメラボディに使用する交換レンズを購入する場合など、実写に基づくカメラボディの画像とデータに基づく交換レンズの画像の外観上の組合わせ情報を確認する際に利用できる。
【符号の説明】
【００４８】
２：カメラボディ，２ｍ：レンズマウント，３…：交換レンズ，４：カメラ付きコンピューティング処理装置，４ｃ：カメラ機能部，４ｄ：ディスプレイ，４ｓ：スマートフォン，５：拡張現実感処理プログラム，６：合成画像，７：マウントキャップ，７ｓ：マウントキャップの外面，Ｍ：識別マーカー，Ａ：記憶処理手段，Ｄｉ…：三次元イメージデータ，Ｄｓ：撮影画像データ，Ｎ：インターネット環境，Ｘ：ウェブサーバ，Ｐ：シート媒体，Ｐ３…：ウェブショップ
【要約】
【課題】  ユーザーＰ２が交換レンズ３を購入する際における的確な購入判断を担保するとともに、ユーザーＰ２の利便性向上に寄与する。
【解決手段】  カメラボディ２のレンズマウント２ｍの位置に所定の識別マーカーＭを表示し、かつ所定の記憶処理手段Ａに一又は二以上の異なる交換レンズ３…の外観に係わる三次元イメージデータＤｉ…を登録するとともに、カメラ付きコンピューティング処理装置４に拡張現実感処理プログラム５をインストールし、このカメラ付きコンピューティング処理装置４のカメラ機能部４ｃにより識別マーカーＭを含むカメラボディ２を撮影し、拡張現実感処理プログラム５に基づき、カメラ機能部４ｃから得る撮影画像データＤｓと選択された三次元イメージデータＤｉに対して拡張現実感処理を行い、カメラボディ２に装着した交換レンズ３の合成画像６を、カメラ付きコンピューティング処理装置４のディスプレイ４ｄに表示する。
【選択図】  図１【図１】
0005842199.tif 000002
【図２】
0005842199.tif 000003
【図３】
0005842199.tif 000004
【図４】
0005842199.tif 000005
【図５】
0005842199.tif 000006
【図６】
0005842199.tif 000007
【図７】
0005842199.tif 000008
【図８】
0005842199.tif 000009
【図９】
0005842199.tif 000010
【図１０】
0005842199.tif 000011